(57)【特許請求の範囲】
【請求項１】
半導体基板と、
前記半導体基板に位置し前記半導体基板とｐ−ｎ接合を形成するエミッタ部と、
前記半導体基板に位置し前記エミッタ部と接続されている第１電極と、
前記半導体基板の上に位置し前記半導体基板と接続されている第２電極と、そして
前記半導体基板の上に位置し前記第２電極と接続されている第２電極用集電部と
を含み、
前記第２電極用集電部は互いに隣接する太陽電池を接続する導電性フィルムの長さ方向である第１方向に沿って互いに離隔されるように並んで位置する複数の導電体を含み、
前記第２電極は前記複数の導電体の各々の一部が露出される複数の開口部を備え、
前記導電性フィルムは前記開口部を通じて露出された各々の導電体の上に重畳して配置され、
前記複数の導電体のそれぞれの端は、前記第１方向と並行する複数の第１部分と前記第１方向と交差する第２方向と並行する複数の第２部分を含み、
前記複数の第１部分は前記第２電極に重畳し、前記複数の第２部分の内、少なくとも１つは、前記第２電極と離隔されているか、又は重畳せずに接している太陽電池。
【請求項２】
前記第２部分の端と前記端と隣接した前記第２電極の端の間の間隔は０．２５μｍ以下である、請求項１記載の太陽電池。
【請求項３】
前記第２電極と前記第１部分との重畳幅は０．２５ｍｍ乃至０．５ｍｍである、請求項１記載の太陽電池。
【請求項４】
前記複数の導電体それぞれは互いに離隔されており前記第２方向に突き出されている複数の第１枝部をさらに備え、前記第２電極は前記複数の第１枝部と重畳されている、請求項１記載の太陽電池。
【請求項５】
前記複数の導電体それぞれは互いに離隔されており前記第１方向に突き出されている複数の第２枝部をさらに備え、前記第２電極は前記複数の第２枝部と追加に重畳されている、請求項４記載の太陽電池。
【請求項６】
前記複数の第１枝部それぞれの長さは前記複数の第２枝部それぞれの長さより長い、請求項５記載の太陽電池。
【請求項７】
前記複数の第１枝部それぞれの幅は前記複数の第２枝部それぞれの幅より大きいか同じである、請求項６記載の太陽電池。
【請求項８】
前記第２電極用集電部に含まれる前記複数の導電体のそれぞれは互いに離隔されており前記第２方向に突き出されている複数の第１枝部をさらに備え、前記第２電極は前記複数の第１枝部と重畳されている、請求項１記載の太陽電池。
【請求項９】
前記第２電極用集電部は互いに離隔されており前記第１方向に突き出されている複数の第２枝部をさらに備え、前記第２電極は前記複数の第２枝部と追加に重畳されている、請求項８記載の太陽電池。
【請求項１０】
前記複数の第１枝部それぞれの長さは前記複数の第２枝部それぞれの長さより長い、請求項９記載の太陽電池。
【請求項１１】
前記複数の第１枝部それぞれの幅は前記複数の第２枝部それぞれの幅より大きいか同じである、請求項１０記載の太陽電池。
【請求項１２】
基板、前記基板に位置するエミッタ部、前記基板の第１面の上に位置し前記エミッタ部と接続された複数の第１電極、前記基板の前記第１面の上に位置し前記複数の第１電極と接続されている第１電極用集電部、前記第１面の反対側に位置する前記基板の第２面に位置し前記基板と接続された第２電極と、
前記基板の上に前記第１方向に位置し前記第２電極と接続されている第２電極用集電部をそれぞれ備えた第１及び第２太陽電池と、
前記第１太陽電池の上に位置した第１電極用集電部と前記第２太陽電池の上に位置した前記第２電極用集電部の上で前記第１及び第２電極用集電部の延長方向である第１方向に位置し、隣接した前記第１及び第２太陽電池を接続する導電性フィルムを含み、
前記複数の第２電極用集電部のそれぞれは互いに隣接する太陽電池を接続する導電性フィルムの長さ方向である第１方向に沿って互いに離隔されるように並行に位置する複数の導電体を含み、
前記第２電極は前記複数の導電体それぞれの一部が露出される複数の開口部を備え、
前記導電性フィルムは前記開口部を通じてそれぞれの導電体の上に重畳して配置され、
前記複数の導電体それぞれの端の部分は前記第１方向と並行する第１部分と前記第２方向と並行する第２部分を含み、
前記複数の導電体のそれぞれの端の第１部分は前記第２電極と重畳し、前記複数の導電体のそれぞれの端の第２部分は前記第２電極と隔離されているか、又は重畳せずに接している太陽電池モジュール。
【発明の詳細な説明】
【技術分野】
【０００１】
本発明は太陽電池及び太陽電池モジュールに関する。
【背景技術】
【０００２】
最近石油や石炭のような既存エネルギー資源の枯渇が予測されながらこれらを取り替える代替エネルギーに対する関心が高くなりこれによって太陽エネルギーから電気エネルギーを生産する太陽電池が注目されている。
【０００３】
一般的な太陽電池はｐ型とｎ型のように互いに異なる導電性タイプ（conductive type）によりｐ−ｎ接合を形成する半導体部、それと互いに異なる導電性タイプの半導体部にそれぞれ接続された電極を備える。
【０００４】
このような太陽電池に光が入射されれば半導体で電子と正孔の電荷が生成され、ｐ−ｎ接合により生成された電荷はｎ型半導体部とｐ型半導体部の方に、それぞれ移動するので電子はｎ型半導体部の方に移動し、正孔はｐ型半導体部の方に移動する。移動した電子と正孔はそれぞれｐ型半導体部とｎ型半導体部に接続された互いに異なる電極によって収集され、この電極を電線で接続して電力を得る。
【発明の概要】
【発明が解決しようとする課題】
【０００５】
本発明の目的は、太陽電池の効率を向上させることにある。
【０００６】
本発明の他の目的は、太陽電池の不良率を減少させることにある。
【課題を解決するための手段】
【０００７】
前記課題を解決するために本発明に係る太陽電池は半導体基板、前記半導体基板に位置し前記半導体基板とｐ−ｎ接合を形成するエミッタ部と、前記半導体基板に位置し前記エミッタ部と接続されている第１電極と、前記半導体基板の上に位置し前記半導体基板と接続されている第２電極、そして前記半導体基板の上に位置し前記第２電極と接続されている第２電極用集電部を含み、前記第２電極用集電部上に位置する導電性フィルムの進行方向である第１方向に前記第２電極と前記第２電極用集電部が重畳する重畳距離は前記第１方向と交差する第２方向に前記第２電極と前記第２電極用集電部が重畳する重畳距離より小さいことがある。
【０００８】
前記第２電極は前記第２電極用集電部の一部が位置する少なくとも一つの開口部を備えることができ、前記開口部を通じて露出する前記第２電極用集電部上に前記導電性フィルムが位置した方が良い。
【０００９】
前記第２電極用集電部は前記第２電極用集電部に従って伸びている一つの延長線に従って並んで互いに離隔されるように位置する複数の導電体を含むことができる。
【００１０】
前記少なくとも一つの開口部に前記複数の導電体それぞれの一部が位置し、各開口部を通じて各導電体の一部を露出することができる。
【００１１】
前記複数の導電体それぞれの端部分は前記第２電極と前記第１方向に重畳する第１部分と前記第２電極と前記第２方向に重畳されている第２部分を備え、前記第２電極と前記第１部分との重畳距離は前記第２電極と前記第２部分との重畳距離より小さなものが良い。
【００１２】
前記第２電極と前記第１部分との前記重畳距離と前記第２電極と前記第２部分との前記重畳距離はそれぞれ０．２５ｍｍ乃至０．５ｍｍで有り得る。
【００１３】
前記複数の導電体それぞれの端部分は前記第２電極と前記第２方向に重畳する第１部分と前記第２電極と前記第１方向に離隔されてあるか重畳されないで接している第２部分を含むことができる。
【００１４】
前記第２部分の端と前記端と隣接した前記第２電極の端の間の間隔は０．２５μｍ以下で有り得る。
【００１５】
前記第２電極と前記第１部分との重畳距離は０．２５ｍｍ乃至０．５ｍｍで有り得る。
【００１６】
前記複数の導電体それぞれは互いに離隔されてあり前記第２方向に突き出されている複数の第１枝部をさらに備え、前記第２電極は前記複数の第１枝部と重畳されることが望ましい。
【００１７】
前記複数の導電体それぞれは互いに離隔されてあり前記第１方向に突き出されている複数の第２枝部をさらに備えることができ、前記第２電極は前記複数の第２枝部と追加に重畳された方が良い。
【００１８】
前記複数の第１枝部それぞれの長さは前記複数の第２枝部それぞれの長さより長いことが望ましい。
【００１９】
前記複数の第１枝部それぞれの幅は前記複数の第２枝部それぞれの幅より大きいか同じであり得る。
【００２０】
前記第２電極用集電部は前記第２電極用集電部に従って伸びている一つの延長線に従って切られることなしに伸びているストライプ（stripe）形状を有することができる。
【００２１】
前記第２電極用集電部の端部分は前記第２電極と前記第１方向に重畳する第１部分と前記第２電極と前記第２方向に重畳する第２部分を備えることができ、前記第２電極と前記第１部分との重畳距離は前記第２電極と前記第２部分との重畳距離より小さなものが良い。
【００２２】
前記第２電極と前記第１部分との重畳距離と前記第２電極と前記第２部分との重畳距離はそれぞれ０．２５ｍｍ乃至０．５ｍｍで有り得る。
【００２３】
前記第２電極用集電部の端部分は前記第２電極と前記第２方向に重畳する第１部分と前記第２電極と前記第１方向に離隔されてあるか重畳されないで接している第２部分を含むことができる。
【００２４】
前記第２部分の端と前記端と接した前記第２電極の間の間隔は０．２５μｍ以下で有り得る 。
【００２５】
前記第２電極と前記第１部分との重畳距離は０．２５ｍｍ乃至０．５ｍｍで有り得る。
【００２６】
前記第２電極用集電部は互いに離隔されてあり、前記第２方向に突き出されている複数の第１枝部をさらに備えることができ、前記第２電極は前記複数の第１枝部と重畳されていた方が良い。
【００２７】
前記第２電極用集電部は互いに離隔されてあり前記第２方向に突き出されている複数の第２枝部をさらに備えることができ、前記第２電極は前記複数の第２枝部と追加に重畳されることができる。
【００２８】
前記複数の第１枝部それぞれの長さは前記複数の第２枝部それぞれの長さより長いことが良い。
【００２９】
前記複数の第１枝部それぞれの幅は前記複数の第２枝部それぞれの幅より大きいか同じであり得る。
【００３０】
前記第２電極用集電部は前記半導体基板のすぐ上に位置し、前記第２電極の一部は前記第２電極用集電部の一部の上に位置し前記第２電極用集電部と一部重畳することができる。
【００３１】
前記第２電極用集電部の一部は前記半導体基板のすぐ上に位置した前記第２電極の一部の上に位置し前記第２電極と一部重畳することができる。
【００３２】
本発明の他の特徴による太陽電池モジュールは基板と、前記基板に位置するエミッタ部と、前記基板の第１面の上に位置し前記エミッタ部と接続された複数の第１電極と、前記基板の前記第１面の上に位置し前記複数の第１電極と接続されている第１電極用集電部と、前記第１面の反対側に位置する前記基板の第２面に位置し前記基板と接続された第２電極、前記基板の前記第２面に位置し前記第２電極と接続されている第２電極用集電部をそれぞれ備えた第１及び第２太陽電池と、前記第１太陽電池の上に位置した第１電極用集電部と前記第２太陽電池の上に位置した前記第２電極用集電部の上で前記第１及び第２電極用集電部の延長方向である第１方向に位置し、隣接した前記第１及び第２太陽電池を接続する導電性フィルムを含み、前記第１及び第２太陽電池それぞれの前記第１電極用集電部と前記第２電極用集電部は前記導電性集電部の延長方向である前記第１方向に伸びていて、前記第１及び第２太陽電池それぞれの前記複数の第１電極は前記第１方向と交差する第２方向に伸びているし、前記第１及び第２太陽電池それぞれの前記第２電極用集電部と前記第２電極が前記第２方向に重畳する重畳距離は前記第２電極用集電部と前記第２電極が前記第１方向に重畳する重畳距離より小さい。
【発明の効果】
【００３３】
本発明のこのような特徴によれば、第２電極用集電部に導電性フィルムが附着する時、導電性フィルムの延長方向に位置する第２電極と第２電極用集電部との重畳領域が減少して、導電性フィルムと第２電極用集電部との接触不良が減る。これにより、太陽電池の不良率が減少し、第２電極用集電部から導電性フィルムに出力される電荷の量が増加するので、太陽電池の効率が向上する。
【図面の簡単な説明】
【００３４】
【図１】本発明の一実施の形態に係る太陽電池の一部斜視図である。
【図２】図１に示した太陽電池をＩＩ−ＩＩ線で切って断面図である。
【図３】本発明の一実施の形態に係る後面電極用集電部の導電体の一例を概略的に示した平面図である。
【図４】本発明の参考の実施の形態に係る後面電極と後面電極用集電部の導電体との重畳状態の多様な例を示した図である。
【図５】本発明の参考の実施の形態に係る後面電極と後面電極用集電部の導電体との重畳状態の多様な例を示した図である。
【図６】本発明の一実施の形態に係る後面電極と後面電極用集電部の導電体との重畳状態の多様な例を示した図である。
【図７】本発明の一実施の形態に係る後面電極と後面電極用集電部の導電体との重畳状態の多様な例を示した図である。
【図８】本発明の一実施の形態に係る後面電極と後面電極用集電部の導電体との重畳状態の多様な例を示した図である。
【図９】本発明の一実施の形態に係る後面電極と後面電極用集電部の導電体との重畳状態の多様な例を示した図である。
【図１０】本発明の一実施の形態に係る後面電極と後面電極用集電部の導電体との重畳状態の多様な例を示した図である。
【図１１】本発明の参考の実施の形態に係る後面電極と後面電極用集電部の導電体との重畳状態の多様な例を示した図である。
【図１２】本発明の参考の実施の形態に係る後面電極と後面電極用集電部の導電体との重畳状態の多様な例を示した図である。
【図１３】本発明の参考の他の実施の形態に係る後面電極用集電部の導電体の例を概略的に示した平面図である。
【図１４】図１２及び図１３に示した導電体と後面電極との重畳状態を示した図である。
【図１５】本発明の参考の他の実施の形態に係る後面電極用集電部の導電体の例を概略的に示した平面図である。
【図１６】図１２及び図１５に示した導電体と後面電極との重畳状態を示した図である。
【図１７】本発明の参考の他の実施の形態に係る他の例の後面電極用集電部と後面電極との重畳状態を示した図である。
【図１８】本発明の実施の形態に係る太陽電池を利用して製作した太陽電池モジュールの概略的な分解斜視図である。
【図１９】図１８に示した太陽電池モジュールで複数の太陽電池の電気的な接続関係を概略的に示した図である。
【図２０】本発明の又他の実施の形態に係る太陽電池の一部断面図である。
【発明を実施するための形態】
【００３５】
以下では添付した図面を参照にして本発明の実施の形態に対して本発明が属する技術分野で通常の知識を有する者が容易に実施するように詳しく説明する。しかし本発明はいろいろ相異な形態に具現されることができここで説明する実施の形態に限定されない。そして図面で本発明を明確に説明するために説明と関係ない部分は省略したし、明細書全体を通じて類似の部分に対しては類似の図面符号を付けた。
【００３６】
図で多くの層及び領域を明確に表現するために厚さを拡大して示した。層、膜、領域、基板などの部分が他の部分の「上に」あると言う時、これは他の部分の「真上に」ある場合だけではなくその中間に他の部分がある場合も含む。反対に何れの部分が他の部分の「真上に」あると言う時には中間に他の部分がないことを意味する。
【００３７】
それでは添付した図面を参照にして本発明の一実施の形態に係る太陽電池に対して説明する。
【００３８】
先ず、図１乃至図１２を参照にし、本発明の一実施の形態に係る太陽電池に対して詳細に説明する。
【００３９】
図１及び図２を参照すれば、本発明の一実施の形態に係る太陽電池１１は基板１１０、光が入射される基板１１０の面である入射面［以下、「前面（front surface）」であるとする］に位置したエミッタ部（emitter region）１２１、エミッタ部１２１上に位置する反射防止部１３０、エミッタ部１２１上に位置し複数の前面電極１４１と複数の前面電極１４１と接続された少なくとも一つの前面電極用集電部１４２を備えた前面電極部１４０、入射面の反対側面である基板１１０の面［以下、「後面（back surface）」であるとする]に位置する後面電界部（back surface field region）１７２、そして後面電界部１７２上と基板１１０上に位置し後面電極１５１と後面電極１５１と接続された少なくとも一つの後面電極用集電部１５２を備えた後面電極部１５０を備える。
【００４０】
基板１１０は第１導電性タイプ、例えばｐ型導電性タイプのシリコン（silicon）のような半導体からなる半導体基板である。この時、半導体は多結晶シリコンまたは単結晶シリコンのような結晶質半導体である。
【００４１】
基板１１０がｐ型の導電性タイプを有する場合、ホウ素（Ｂ）、ガリウム（Ｇａ）、インジウム（Ｉｎ）などのような３価元素の不純物が基板１１０に、ドーピング（doping）される。
【００４２】
しかし、これとは異なり、基板１１０はｎ型の導電性タイプで有り得り、シリコン以外の他の半導体物質からなることもある。基板１１０がｎ型の導電性タイプを有する場合、基板１１０はりん（Ｐ）、砒素（Ａｓ）、アンチモン（Ｓｂ）などのように５価元素の不純物が基板１１０にドーピングされる。
【００４３】
このような基板１１０の前面は平坦面である基板１１０の前面にテクスチャリング（texturing）工程が行われて周辺より上に突出した複数の突出部と周辺より下に窪んだ複数の凹部を有する凹凸面であるテクスチャリング表面（textured surface）を有することができる。この場合、基板１１０の前面に位置する反射防止部１３０もまた凹凸面を有することができる。
【００４４】
このように、基板１１０の前面がテクスチャリング表面を有する場合、基板１１０の表面積が増加して光の入射面積が増加し基板１１０によって反射する光の量が減少するので、基板１１０に入射される光の量が増加する。
【００４５】
このような基板１１０に光が入射されれば、入射された光のエネルギーによって電子と正孔が生成するようになる。
【００４６】
基板１１０に位置したエミッタ部１２１は基板１１０の導電性タイプと反対である第2 導電性タイプ、例えば、ｎ型の導電性タイプを備える不純物部である。したがって基板１１０の第１導電性タイプ部分とｐ−ｎ接合を形成する。
【００４７】
このようなｐ−ｎ接合による内部電位差（built-in potential difference）によって、基板１１０に入射された光によって生成された電荷である電子と正孔の中で電子はｎ型の方に移動し正孔はｐ型の方に移動する。したがって、基板１１０がｐ型でありエミッタ部１２１がｎ型の場合、正孔は基板１１０の方に移動し電子はエミッタ部１２１の方に移動する。
【００４８】
エミッタ部１２１は基板１１０、すなわち基板１１０の第１導電性タイプの部分とｐ−ｎ接合を形成するので、本実施の形態と異なり、基板１１０がｎ型の導電性タイプを有する場合、エミッタ部１２１はｐ型の導電性タイプを有する。この場合、電子は基板１１０方へ移動し正孔はエミッタ部１２１の方へ移動する。
【００４９】
エミッタ部１２１がｎ型の導電性タイプを有する場合、エミッタ部１２１は５価元素の不純物を基板１１０にドーピングして形成することがあり、エミッタ部１２１が反対にｐ型の導電性タイプを有する場合、３価元素の不純物がドーピングされることがある。
【００５０】
エミッタ部１２１上に位置した反射防止部１３０は光を反射させないで基板１１０の方へ透過させることができる物質からなることができ、例えば、水素化されたシリコン窒化膜（ＳｉＮｘ：Ｈ）、水素化されたシリコン酸化膜（ＳｉＯｘ：Ｈ）、または水素化されたシリコン酸化窒化膜（ＳｉＯｘＮｙ：Ｈ）などからなる。
【００５１】
反射防止部１３０は太陽電池１１に入射される光の反射度を減らし特定の波長領域の選択性を増加させ基板１１０に入射される光の量を増やし、太陽電池１１の効率を高める。
【００５２】
また反射防止部１３０を形成する時注入された水素（Ｈ）などを通じて反射防止部１３０は基板１１０の表面及びその近くに存在するダングリングボンド（dangling bond）のような欠陥（defect）を安定した結合に変えて欠陥によって基板１１０の表面の方に移動した電荷が消滅することを減少させるパッシベーション機能（passivation function）を遂行する。したがって欠陥によって基板１１０の表面及びその近所で損失される電荷の量が減少するので、太陽電池１１の効率は向上する。
【００５３】
本実施の形態で、反射防止部１３０は単一膜構造を有するが二重膜のような多層膜構造を有することができ、必要によって省略することができる。
【００５４】
複数の前面電極部１４０の複数の前面電極１４１はエミッタ部１２１と接続されており、互いに離隔されて決まった方向に並んで伸びている。複数の前面電極１４１はエミッタ部１２１の方に移動した電荷、例えば、電子を収集する。
【００５５】
複数の前面電極部１４０の前面電極用集電部１４２はエミッタ部１２１と接続されており、複数の前面電極１４１と交差する方向に並んで伸びている。
【００５６】
この時、前面電極用集電部１４２は複数の前面電極１４１と同一層に位置し各前面電極１４１と交差する地点で該当の前面電極１４１と電気的及び物理的に接続されている。
【００５７】
したがって、図１に示したように、複数の前面電極１４１は横または縦方向に伸びているストライプ（stripe）形状を有し、前面電極用集電部１４２は縦または横方向に伸びているストライプ形状を有し、前面電極部１４０は基板１１０の前面に格子形態で位置する。
【００５８】
各前面電極用集電部１４２はエミッタ部１２１から移動する電荷（例、電子）だけでなく交差する複数の前面電極１４１によって収集された電荷を集めて所望する方向に移動させなければならないので、各前面電極用集電部１４２の幅は各前面電極１４１の幅より大きい。
【００５９】
前面電極用集電部１４２は外部装置と接続され、収集された電荷を外部装置に出力する。
【００６０】
各前面電極用集電部１４２ 上には外部装置（図示せず）に接続されているリボン（ribbon）のような導電性フィルム（conductive film）が附着し、これにより、前面電極用集電部１４２によって収集された電荷（例、電子）は導電性フィルムを通じて外部装置に出力される。
【００６１】
複数の前面電極１４１と前面電極用集電部１４２を備えた前面電極部１４０は銀（Ag）のような少なくとも一つの導電性物質からなる。
【００６２】
図１で、基板１１０に位置する前面電極１４１と前面電極用集電部１４２の個数は一例に過ぎなく、場合によって変更可能である。
【００６３】
後面電界部１７２は基板１１０と同一である導電性タイプの不純物が基板１１０より高濃度で基板１１０にドーピングされた領域、例えば、Ｐ＋領域である。
【００６４】
このような基板１１０の第１導電性領域と後面電界部１７２の間の不純物濃度差によって電位障壁が形成され、これにより、正孔の移動方向である後面電界部１７２の方に電子移動は妨害され、また、後面電界部１７２の方への正孔移動はもう少し容易になる。したがって、後面電界部１７２は基板１１０の後面及びその近傍で電子と正孔の再結合により損失される電荷の量を減少させ所望する電荷（例、正孔）の移動を加速化させ後面電極部１５０への電荷移動量を増加させる。
【００６５】
このような後面電界部１７２は後面電極１５１と基板１１０が接している基板１１０の後面部分に形成されるので、後面電界部１７２の形成面積は後面電極１５１の形成面積によって変わる。例えば、後面電極１５１の形成面積が増加するほど後面電界部１７２の形成面積もまた増加するようになる。
【００６６】
後面電極部１５０の後面電極１５１は基板１１０の後面に位置した後面電界部１７２と接触しており、後面電極用集電部１５２が位置した部分を除けば実質的に基板１１０の後面全体に位置する。この時、図４乃至図１２に示したように、基板１１０後面の端部分には後面電極１５１が位置せず、代案的な例で、この端部分までも後面電極１５１が位置することができる。
【００６７】
このような後面電極１５１は前面電極部１４０と異なる導電性物質を含むことができ、例えば、アルミニウム（Ａｌ）を含むことができる。
【００６８】
このような後面電極１５１は後面電界部１７２の方から移動する電荷、例えば正孔を収集する。
【００６９】
この時、後面電極１５１が基板１１０より高い不純物濃度を有し基板１１０より高い伝導度を有する後面電界部１７２と接触しているので、基板１１０、すなわち、後面電界部１７２と後面電極１５１の間の接触抵抗が減少して基板１１０から後面電極１５１への電荷伝送効率が向上する。
【００７０】
図３に示したように、各後面電極用集電部１５２は、前面電極用集電部１４２とは異なり、島（island）型形態からなるので、各後面電極用集電部１５２は基板１１０の後面上から各後面電極用集電部１５２の延長方向［例、基板１１０の一側面に平行な方向であるＹ方向］に伸びている一つの仮想の延長線（Ｓ１）に従って互いに離隔されるように並んで位置している複数の導電体５２からなる。この時、仮想の延長線（Ｓ１）は複数の導電体５２の中心部に従って伸びることができる。
【００７１】
各導電体５２の端部分の少なくとも一部は後面電極１５１と重畳されて後面電極１５１と接続され、これにより、後面電極１５１は各導電体５２の一部を露出する複数の開口部１８１を備える。すなわち各開口部１８１内に後面電極１５１と重畳しない導電体５２の残り部分が位置する。
【００７２】
この時、図４乃至図１１に示したように、後面電極１５１は隣接した導電体５２の間にも位置するので、各後面電極用集電部１５２が前面電極用集電部１４２のように該当の方向に切られることなしに長く伸びているストライプ形状からなる場合より後面電極１５１の形成面積が増加する。
【００７３】
このように、後面電極１５１の形成面積が増加するによって、既に説明したように、基板１１０の後面に形成される後面電界部１７２の形成面積もまた増加する。これにより、後面電界部１７２によって基板１１０の後面及びその近所で電子と正孔の再結合により失われる電荷の量はさらに減少して太陽電池１１の効率は増加する。
【００７４】
このような後面電極用集電部１５２は、複数の前面電極用集電部１４２と類似に、後面電極１５１から伝達する電荷を収集する。
【００７５】
各前面電極用集電部１４２のように、各後面電極用集電部１５２上には図４乃至図１２のように導電性フィルム７１が附着され、これにより、後面電極用集電部１５２によって収集された電荷（例、成功）は導電性フィルム７１を通じて外部装置に出力される。
【００７６】
複数の導電体５２は後面電極１５１と異なる材料からなり、例えば、導電性フィルム７１との接着が容易な材料を含んでいて、導電性フィルム７１と複数の導電体５２との接着力が導電性フィルム７１と後面電極１５１との接着力よりずっと良い。
【００７７】
本例では、導電性フィルム７１は銀（Ａｇ）を含んでいるので、複数の導電体５２もまた銀（Ａｇ）を含んでいる。
【００７８】
このように、後面電極用集電部１５２を構成する各導電体５２の材料が後面電極１５１に比べてさらに高い材料からなるので、後面電極用集電部１５２の形成面積を減らし、その代わりに後面電極１５１の形成面積を増加させ後面電界部１７２の形成面積を増やすので太陽電池１１の効率向上だけではなく太陽電池１１の製造費用も大きく減少する。
【００７９】
したがって、各後面電極用集電部１５２が切られることなしにストライプ形状で長く伸びている場合に比べ、本例の後面電極用集電部１５２は互いに離隔された複数の導電体５２が一定間隔に配列されて成ることによって離隔された間隔での各後面電極用集電部１５２の形成面積が大きく減少するので、後面電極用集電部１５２のための材料[例、銀（Ａｇ）]の使用量が減少し太陽電池１１の製造費用が節減される。
【００８０】
次に、図４乃至図１１を参照にして、後面電極用集電部１５２の各導電体５２と後面電極１５１との接続状態を注意深く見る。
【００８１】
先ず、図４を参照にすれば、各導電体５２はＹ方向（例、第１方向）とＸ方向（例、第２方向）に後面電極１５１と重畳されている。この時、参考の実施の形態で、Ｘ方向とＹ方向に互いに交差して垂直を形成する方向であり、本例では、Ｙ方向は後面電極用集電部１５２の延長方向または導電性フィルム７１の進行方向や延長方向であり、Ｘ方向はＹ方向、すなわち、後面電極用集電部１５２の延長方向または導電性フィルム７１の進行方向や延長方向と交差する方向である。
【００８２】
すなわち、基板１１０の一側面に平行であるＸ方向に各導電体５２と後面電極１５１が重畳されていて、各導電体５２の左側端部分は第１重畳距離（ｄ１１）位重畳されていて、各導電体５２の右側端部分は第２重畳距離（ｄ１２）位重畳されている。また、Ｙ方向に各導電体５２と後面電極１５１が重畳されていて、各導電体５２の上部端部分は第３重畳距離（ｄ２１）位重畳されており、各導電体５２の下部端部分は第４重畳距離（ｄ２２）位重畳されている。結局、各導電体５２の左側端の端、右側端の端、上部端の端、下部端の端それぞれから各導電体５２の中心部の方へそれぞれ第１乃至第４重畳距離（ｄ１１、ｄ１２、ｄ２１、ｄ２２）位後面電極１５１と導電体５２が重畳されている。
【００８３】
本明細書で、第１乃至第４重畳距離（ｄ１１、ｄ１２、ｄ２１、ｄ２２）のように導電体５２と後面電極１５１の間の重畳距離は基板１１０の一側面に平行し導電体５２と該当の端部分（例、下部端部分）で後面電極１５１との最大重畳距離を意味する。
【００８４】
図４の場合、Ｘ方向に重畳距離である第１重畳距離（ｄ１１）と第２重畳距離（ｄ１２）は互いに同一であり、Ｙ方向に重畳距離である第３重畳距離（ｄ２１）と第４重畳距離（ｄ２２）は互いに同一である。
【００８５】
しかし、第１重畳距離（ｄ１１）と第２重畳距離（ｄ１２）中の少なくとも一つは第３重畳距離（ｄ２１）と第４重畳距離（ｄ２２）中の少なくとも一つより大きく、第１重畳距離（ｄ１１）と第２重畳距離（ｄ１２）の平均距離は第３重畳距離（ｄ２１）と第４重畳距離（ｄ２２）の平均距離より大きくすることができる。これにより、Ｘ方向に各導電体５２の幅（ｗ１１）と開口部１８１の幅（ｗ１２）の差はＹ方向に各導電体５２の幅（ｗ２１）と各開口部１８１の幅（ｗ２２）の差より大きい。したがって、Ｘ方向とＹ方向に後面電極１５１と各導電体５２が同一である重畳距離（または平均重畳距離）位重畳されている時より、仮想の延長線（Ｓ１）と同じ方向である後面電極用集電部１５２の延長方向または導電性フィルム７１の進行方向や延長方向（例、Ｙ方向）と交差する方向（例、Ｘ方向）に位置し導電性フィルム７１の延長動作を妨害する重畳面積、例えば、各導電体５２の上部端部分と下部端部分での重畳面積は延長する導電性フィルム７１の左側と右側に位置した左側端部分と右側端部分での重畳面積より小さい。
【００８６】
図５に示した例の場合、図４の場合のように、各導電体５２の一部はＸ方向とＹ方向に後面電極１５１と重畳されている。しかし、この場合、Ｘ方向に各導電体５２と後面電極１５１が重畳されている時、各導電体５２の左側端部分と右側端部分での重畳距離は互いに相異する。
【００８７】
例えば、図５に示したように、各導電体５２の左側端部分と後面電極１５１との重畳距離（ｄ１１）が各導電体５２の右側端部分と後面電極１５１との重畳距離（ｄ１２）より大きい。しかし、図５とは反対に、代案的な例で、各導電体５２の右側端部分と後面電極１５１との重畳距離（ｄ１２）が各導電体５２の左側端部分と後面電極１５１との重畳距離（ｄ１１）より大きくなることができる。
【００８８】
また、図５の場合、導電体５２の上部端部分と後面電極１５１の間の重畳距離（ｄ２１）は、下部端部分と後面電極１５１の間の重畳距離（ｄ２２）と同一であるが、これとは異なり、導電体５２の上部端部分と後面電極１５１の間の重畳距離（ｄ２１）は下部端部分と後面電極１５１の間の重畳距離（ｄ２２）と相異することができる。
【００８９】
図４及び図５によって、導電性フィルム７１が延長する所に位置する各導電体５２の上部端部分と後面電極１５１の間の重畳面積そして下部端部分と後面電極１５１の間の重畳面積が減少する。
【００９０】
図６に示した例では、Ｘ方向に各導電体５２と後面電極１５１は重畳されているが、Ｙ方向に各導電体５２と後面電極１５１は重畳されないで互いに接している。
【００９１】
図６では、各導電体５２で、左側端部分と後面電極１５１との重畳距離（ｄ１１）は右側端部分と後面電極１５１との重畳距離（ｄ１２）と同一である。しかし、既に図５を参照にして説明したように、導電体５２の左側端部分と後面電極１５１との重畳距離（ｄ１１）は導電体５２の右側端部分と後面電極１５１との重畳距離（ｄ１２）と異なることがある。したがって、左側端部分と後面電極１５１との重畳距離（ｄ１１）が右側端部分と後面電極１５１との重畳距離（ｄ１２）より長いか短いことがある。
【００９２】
このように、Ｙ方向に導電体５２と後面電極１５１の重畳部分が存在しないで、導電体５２の上部端の端と下部端の端が後面電極１５１の端と接しているので各導電体５２の上部端の端及び下部端の端それぞれとこれら端に隣接した後面電極１５１の端の間の間隔はそれぞれ約０μｍで有り得る。
【００９３】
図６によって、導電性フィルム７１が延長する所に位置する各導電体５２の上部端部分と後面電極１５１の間の段差そして下部端部分と後面電極１５１ の間の段差が発生しない。
【００９４】
しかし、図６と異なり図７に示した他の例で、導電体５２の上部端部分と下部端部分の中で一つは後面電極１５１と所定重畳距離（ｄ２２）位重畳され残り端部分の端（すなわち、残り端の端）は後面電極１５１と重畳されないで隣接した後面電極１５１の該当の端と隣接している。この場合にも、Ｘ方向に導電体５２と後面電極１５１は互いに重畳されており、各導電体５２で、左側端部分と後面電極１５１との重畳距離（ｄ１１）は右側端部分と後面電極１５１との重畳距離（ｄ１２）と同一であるか異なることがある。
【００９５】
図７によって、導電性フィルム７１が延長する所に位置する各導電体５２の上部端部分と後面電極１５１の間の段差を発生しなくそして下部端部分と後面電極１５１の間の重畳面積が減少するようになる。
【００９６】
図８に示した例の場合、各導電体５２はＸ方向に後面電極１５１と重畳され、左側の端部分は第１重畳距離（ｄ１１）位後面電極１５１と重畳されていて、右側端部分は第２重畳距離（ｄ１２）位後面電極１５１と重畳されている。この時、図８のように、第１重畳距離（ｄ１１）は第２重畳距離（ｄ１２）と相異して第１重畳距離（ｄ１１）が第２重畳距離（ｄ１２）より大きくすることができるが、第１重畳距離（ｄ１１）は第２重畳距離（ｄ１２）より小さいか同一で有り得る。
【００９７】
図８で、各導電体５２はＹ方向に後面電極１５１と重畳されている。しかし、図８の場合、各導電体５２の上部端部分と下部端部分の中で一つだけ後面電極１５１と重畳されていて、残り端部分はＹ方向に後面電極１５１と離隔されて後面電極１５１と重畳されないでまた接していない。
【００９８】
したがって、後面電極１５１と接していない各導電体５２の上部端と下部端の中で一つ（図８の場合、上部端）の端とこの端に隣接した後面電極１５１の端の間には後面電極１５１が位置しないで基板１１０の後面を露出する露出部（Ａ）を有する。
【００９９】
この時、露出部（Ａ）から導電体５２の上部端の端または下部端の端とこの端と隣接した後面電極１５１の端の間の間隔（ｄ３１）は約０．２５μｍ以下で有り得る。
【０１００】
各導電体５２の一端と後面電極１５１の間の間隔（ｄ３１）が約０．２５μｍ以下である場合、後面電界部１７２の形成面積が安定的に確保されて後面電界部１７２による電荷と正孔の再結合防止効率がもうちょっと向上する。
【０１０１】
図８によって、導電性フィルム７１が延長する所に位置する各導電体５２の上部端部分に導電性フィルム７１の延長を妨害する突出部が発生しないで下部端部分と後面電極１５１の間の重畳面積が減少するようになる。
【０１０２】
図９は図８と比べる時、導電体５２の上部端部分と下部端部分の中で一つは後面電極１５１と重畳なしに後面電極１５１の該当の端と接してあり、残り端部分は隣接した後面電極１５１と接してもいなく重畳されてもいないということだけ相異する。したがって、導電体５２の上部端部分と下部端部分中の一つ（図９の場合、上部端）の端とこの端に隣接した後面電極１５１の端の間には基板１１０の後面を露出する露出部（Ａ）を有する。
【０１０３】
図９によって、導電性フィルム７１が延長する所に位置する各導電体５２の上部端部分に導電性フィルム７１の延長を邪魔する突出部が発生しないで下部端部分と後面電極１５１の間の段差が発生しない。
【０１０４】
図１０に示した例で、各導電体５２はＸ方向に後面電極１５１と重畳されているが、Ｙ方向に後面電極１５１と重畳される部分を有しておらず、また後面電極１５１と接してもいない。
【０１０５】
例えば、導電体５２の左側端部分と後面電極１５１は第１重畳距離（ｄ１１）位重畳されており、導電体５２の右側端部分と後面電極１５１は第２重畳距離（ｄ１２）位重畳されている。既に説明したように、第１距離（ｄ１１）は第２距離（ｄ１２）と同一であるか相異することがある。
【０１０６】
しかし、図１０で、各導電体５２はＹ方向に後面電極１５１と重畳されず、また接してもいない。
【０１０７】
これにより、導電体５２の上部端の端とこの端と隣接した後面電極１５１の端の間にそして導電体５２の下部端の端とこの端と隣接した後面電極１５１の端の間にそれぞれ基板１１０の後面を露出する露出部（Ａ）を備える。
【０１０８】
図１０により、導電性フィルム７１が延長する所に位置する各導電体５２の上部端部分と下部端部分に導電性フィルム７１の延長を邪魔する突出部が発生しない。
【０１０９】
したがって、図８乃至図１０のように導電体５２と後面電極１５１の間に基板１１０の一部を露出する露出部（Ａ）を備える場合、後面電極１５１が備えた複数の開口部１８１それぞれは各導電体５２の一部だけではなく各導電体５２の端の一部と基板１１０の後面一部を露出する。
【０１１０】
既に説明したように、露出部（Ａ）から導電体５２の上部端の端と下部端の端及びこの上部端の端と下部端の端それぞれに隣接した後面電極１５１の端の間の間隔（ｄ３１、ｄ３２）はそれぞれ約０．２５μｍ 以下で有り得え、０．２５μｍ 以下の時安定的な後面電界部１７２の形成によって、基板１１０の後面で電子と正孔の再結合率をもうちょっと減少させることができる。
【０１１１】
図６、図７及び図９に示したように、基板１１０のＹ方向に導電体５２と後面電極１５１が重畳しないで導電体５２の上部端の端と下部端の端の中で少なくとも一つとこの端と隣接した後面電極１５１の該当の端が接している場合、後面電極１５１の各開口部１８１もまた各導電体５２の一部だけではなく各導電体５２の上部端の端と下部端の端の中で少なくとも一つを露出する。
【０１１２】
このように図４乃至図１０に示したように、複数の導電体５２と後面電極１８１が重畳されて各導電体５２と後面電極１８１が電気的及び物理的に接続されていれば、既に説明したように、仮想の延長線（Ｓ１）すなわち、各後面電極用集電部１５２の延長方向に従って位置する複数の導電体５２上に導電性フィルム７１が附着する。
【０１１３】
この時、複数の導電体５２が決まれた間隔位離隔されているので、導電性フィルム７１は開口部１８１を通じ露出した複数の導電体５２部分だけではなく隣接した二つの導電体５２の間に位置した後面電極１５１部分の上にも位置する。
【０１１４】
この時、導電性フィルム７１の幅（ｗ３）は各導電体５２の幅（ｗ１１）（すなわち、横方向（Ｘ）の幅）より小さく、また後面電極１５１の各開口部１８１の幅（ｗ１２）（すなわち、横方向（Ｘ）の幅）より小さいことがある。例えば、導電性フィルム７１の幅（ｗ３）は約１．５ｍｍ乃至２ｍｍで有り得る。これにより、導電性フィルム７１は同一線上に位置し開口部１８１を通じて露出した複数の導電体５２の上に安定的に位置する。
【０１１５】
また、図４乃至図１０で、導電体５２の左側端部分と後面電極１５１の間の重畳距離である第１重畳距離（ｄ１１）と導電体５２の右側端部分と後面電極１５１の間の重畳距離である第２重畳距離（ｄ１２）の中一つは導電体５２の上部端部分と後面電極１５１の間の重畳距離である第３重畳距離（ｄ２１）と導電体５２の下部端部分と後面電極１５１の間の重畳距離である第４距離（ｄ２２）中の一つより大きく、また、第１重畳距離（ｄ１１）と第２重畳距離（ｄ１２）の平均重畳距離は第３重畳距離（ｄ２１）と第４重畳距離（ｄ２２）の平均重畳距離より大きい。
【０１１６】
したがって、Ｘ方向に各導電体５２の幅（ｗ１１）と各開口部１８１の幅（ｗ１２）の差（ｗｄ１）（ｗｄ１＝ｗ１１−ｗ１２）はＹ方向に各導電体５２の幅（ｗ２１）と各開口部１８１の幅（ｗ２２）の差（ｗｄ２）（ｗｄ２＝ｗ２１−ｗ２２）より大きい。例えば、図６の場合、Ｘ方向に各導電体５２の幅（ｗ１１）と各開口部１８１の幅（ｗ１２）の差（ｗｄ１）は（＋）の値を有する一方、Ｙ方向に各導電体５２の幅（ｗ２１）と各開口部１８１の幅（ｗ２２）の差（ｗｄ２）は「０」の値を有し、また、図９及び図１０の場合、Ｘ方向に各導電体５２の幅（ｗ１１）と各開口部１８１の幅（ｗ１２）の差（wd1）は（＋）の値を有する一方、Ｙ方向に各導電体５２の幅（ｗ２１）と各開口部１８１の幅（ｗ２２）の差（ｗｄ２）は（−）の値を有し、Ｘ方向に各導電体５２の幅（ｗ１１）と各開口部１８１の幅（ｗ１２）の差（ｗｄ１）（ｗｄ１＝ｗ１１−ｗ１２）がＹ方向に各導電体５２の幅（ｗ２１）と各開口部１８１の幅（ｗ２２）の差（ｗｄ２）（ｗｄ２＝ｗ２１−ｗ２２）より大きい。
【０１１７】
これにより、図４，５に示した参考の実施の形態、図６乃至図１０に示した一実施の形態の多様な例で、仮想の延長線（Ｓ１）と同じ方向である後面電極用集電部１５２の延長方向または導電性フィルム７１の延長方向（例、Ｙ方向）と交差する方向（例、Ｘ方向）に位置する各導電体５２の上部端部分と下部端部分の平均重畳面積が導電性フィルム７１の延長方向に位置する各導電体５２の左側端部分と右側端部分の平均重畳面積より小さい。
【０１１８】
結局、このように、導電性フィルム７１が延長する所に位置し導電性フィルム７１の延長動作を邪魔する各導電体５２と後面電極１５１の間の重畳面積が減少するか発生しなくて後面電極１５１と後面電極用集電部１５２の間の段差発生領域が減るか除去されるので、各導電体５２と導電性フィルム７１の間の接着力が増加する。また、後面電極１５１の各開口部１８１を通じて現われ導電性フィルム７１の延長方向に伸びている各導電体５２の長さ（Ｌ１）（すなわち、各導電体５１の縦（Ｙ軸方向）幅）が増加するので、導電性フィルム７１と接触する各導電体５２の領域が増加する。これにより、後面電極用集電部１５２に附着した導電性フィルム７１を通じて外部装置に出力される電荷の量が増加し、太陽電池１１の効率が向上する。
【０１１９】
本実施の形態で、導電体５２の端部分と後面電極１５１が重畳される部分の各重畳距離（ｄ１１、ｄ１２、ｄ２１、ｄ２２）は約０．２５ｍｍ乃至０．５ｍｍで有り得る。また、後面電極１５１と重畳されないで開口部１８１を通じて露出した導電体５２の幅は各開口部１８１の幅（ｗ２１）と同一とし、本実施の形態で、開口部１８１の幅（ｗ２１）は約２．５mmで有り得る。
【０１２０】
各重畳距離（ｄ１１、ｄ１２、ｄ２１、ｄ２２）が約０．２５mm以上の場合、後面電極１５１と後面電極用集電部１５２との接触面積がもう少し安定的に確保され後面電極１５１で後面電極用集電部１５２への電荷移動がもう少しなだらかに成る。また、各重畳距離（ｄ１１、ｄ１２、ｄ２１、ｄ２２）が約０．５mm以下の場合、後面電極１５１で後面電極用集電部１５２で安定的な電荷移動と成りながら後面電極１５１と後面電極用集電部１５２の不必要な材料消費がもう少し減る。
【０１２１】
図３乃至図１０で、各導電体５２の形状は長方形形状をしているが、これとは異なり、正方形、円形、楕円形または三角形形状のような多角形形状とすることができる。各導電体５２が長方形形状以外の他の形状を有する場合にも図４乃至図１０に示した多様な例が適用されることができる。
【０１２２】
図１１に各導電体５２が円形からなる場合の一例を図示する。
【０１２３】
図１１は各導電体５２が円形からなる場合、図１０の場合と類似に、各導電体５２すなわち、各導電体５２の上部面がＸ方向に後面電極１５１と重畳されているが、Ｙ方向に後面電極１５１と重畳される部分を有していない場合を示した図である。
【０１２４】
したがって、導電性フィルム７１の延長方向（例、Ｙ方向）［すなわち、仮想の延長線（Ｓ１）の延長方向または後面電極用集電部１５２の延長方向］に位置した端部分（すなわち、左側端部分と右側端部分）にだけ後面電極１５１と重畳する重畳部分が発生し、導電性フィルム７１の延長方向と交差する方向（例、Ｘ方向）で位置した各導電体５２の部分、例えば、各導電体５２の上部端部分と下部端部分は後面電極１５１と重畳された部分を有していない。これにより、図１０と同様に、各導電体５２で重畳部分は各開口部１８１を間に置いて左右側で見合わせるように位置する。
【０１２５】
また、導電体５２の上部端の端とこの端に隣接した後面電極１５１の端の間にそして導電層５２の下部端の端とこの端に隣接した後面電極１５１の端の間にそれぞれ基板１１０の後面を露出する露出部（Ａ）を備える。したがって、後面電極１５１は各導電体５２の一部だけではなく端の一部を露出する複数の開口部１８１を備える。
【０１２６】
この時、各導電体５２の上部端の端及び下部端の端それぞれと隣接した後面電極１５１の端の間の最小間隔（ｄ３１、ｄ３２）は既に説明したように約０．２５μｍ 以下で有り得る 。
【０１２７】
また、各導電体５２の左側端部分と後面電極１５１との重畳距離（ｄ１１）（最大重畳距離）と各導電体５２の右側端部分と後面電極１５１との重畳距離（ｄ１２）（最大重畳距離）もまた約０．２５ｍｍ乃至０．５ｍｍ有りえ、各開口部１８１を通じて露出した導電体５２の幅（ｗ１２）は約２．５mmで有り得る。
【０１２８】
図１１に各導電体５２が円形の場合、図１０の場合と類似に各導電体５２の上部端部分と下部端部分に後面電極１５１と重畳されないで基板１１０を露出する露出部（Ａ）を備えた例を示したが、既に説明したように、各導電体５２が円形の場合にも図４乃至図９に示した多様な例を適用することができる。
【０１２９】
参考の実施の形態で、各開口部１８１を通じて現われて導電性フィルム７１の延長方向に伸びている各導電体５２の長さ（L1）は約６mm乃至１０mmである。
【０１３０】
各導電体５２の長さ（Ｌ１）が約６mm以上の場合、導電性フィルム７１と各導電体５１の接触面積が安定的に確保され、導電性フィルム７１を通じて後面電極用集電部１５２から外部装置に電荷の移動がもう少し安定的に行われる。
【０１３１】
また、各導電体５２の長さ（Ｌ１）が約１０ｍｍ以下の場合、後面電極用集電部１５２の形成面積を減少させ後面電極１５１の形成面積を増加させ後面電界部１７２の形成面積をより安定的に増加させるので太陽電池１１の効率を向上させ、太陽電池１１の製造費用をより効率的に減少させる。
【０１３２】
また、導電性フィルム７１と各導電体５２との接着力に悪影響を及ぼさない各導電体５２の端部分、すなわち図１１の場合、各導電体５２の両側部が隣接した後面電極１５１下に位置し各導電体５２の上部面が後面電極１５１と一部重畳されている。したがって、基板１１０の後面で各導電体５２が剥離される現象が防止され太陽電池１１の不良率が減る。
【０１３３】
また、各導電体５２の左側端部分、右側端部分、上部端部分及び下部端部分の内で、後面電極１５１と重畳される面積が減少するか重畳されない部分が存在するので、外部で印加される荷重によって後面電極１５１と各導電体５２の重畳部分で発生する破損発生率が大きく減少する。
【０１３４】
すなわち、複数の太陽電池１１を高さ方向に互いに重畳されるように位置させた後位置を移動させる時、または複数の太陽電池１１を直列または並列連結させた後一つの太陽電池モジュールで形成するために実施される圧縮工程の中に、後面電極１５１と各導電体５２が重畳される部分がそうではない部分より大きい荷重を受けるようになるので、この重畳部分でひびがはいるなどのような不良が発生するようになる。しかし、本実施の形態のように、後面電極１５１と後面電極用集電部１５２との重畳部分が減少すれば荷重による不良率が減って太陽電池１１と太陽電池モジュールの製造効率が向上する。
【０１３５】
図１２に本発明の参考の実施の形態に係るまた他の例を図示する。
【０１３６】
図１乃至図１１の場合、各後面電極用集電部１５２は仮想の延長線（Ｓ１）に従って離隔される複数の導電体５２を備える一方、図１２の場合、各後面電極用集電部１５２は前面電極用集電部１４２のように該当の方向に切られることなしに長く伸びているストライプ形状からなる。これにより、後面電極１５１はそれぞれの後面電極用集電部１５２の一部を露出する開口部１８１を有しているので、後面電極用集電部１５２の個数と開口部１８１の個数は同一である。
【０１３７】
図１２で、各後面電極用集電部１５２の端は隣接した後面電極１５１と重畳する部分と隣接した後面電極１５１と重畳されない部分を有している。すなわち、図１０の場合と同一に、導電性フィルム７１の延長方向[すなわち、仮想の延長線（Ｓ１）の延長方向]と並んでいる方向で位置した各後面電極用集電部１５２の端部分の一部、例えば、各後面電極用集電部１５２の左側端部分と右側端部分の両側部の一部は後面電極１５１と重畳されていて、導電性フィルム７１の延長方向と交差する方向に位置する各後面電極用集電部１５２の部分[例、各後面電極用集電部１５２の上部端部分と下部端部分]は後面電極１５１と重畳された部分を有していない。
【０１３８】
これにより、各後面電極用集電部１５２の上部端端及び下部端端それぞれとこれら端にそれぞれ接した後面電極１５１の端の間の間隔（ｄ３１、ｄ３２）はそれぞれ約０。２５μｍ以下で有りえ、図１２で各後面電極用集電部１５２の上部端端及び下部端端それぞれとこれら端にそれぞれ隣接した後面電極１５１の端の間には基板１１０の後面を露出する露出部（Ａ）をそれぞれ有している。
【０１３９】
また、各後面電極用集電部１５２の各即部で、後面電極用集電部１５２の端部分と後面電極１５１が重畳される部分の重畳距離（ｄ１１、ｄ１２）は約 ０．２５ｍｍ乃至０．５ｍｍで有り得る。この時、開口部１８１を通じて露出する導電体５２の幅（ｗ２１）は約２．５ｍｍで有り得る。
【０１４０】
このように、各後面電極用集電部１５１が切られることなしに一つのストライプ形状からなる場合にも、後面電極用集電部１５２の左側端部分と後面電極１５１の間の重畳距離である第１重畳距離（ｄ１１）と後面電極用集電部１５２の右側端部分と後面電極１５１の間の重畳距離である第２重畳距離（ｄ１２）中一つの平均重畳距離は後面電極用集電部１５２の上部端部分と後面電極１５１の間の重畳距離である第３重畳距離（ｄ２１、図１２でｄ２１は実質的に「０」）と後面電極用集電部１５２の下部端部分と後面電極１５１の間の重畳距離である第４重畳距離（ｄ２２、図１２でｄ２２は実質的に「０」）中の一つより大きく、第１重畳距離（ｄ１１）と第２重畳距離（ｄ１２）の平均重畳距離は第３重畳距離と第４重畳距離の平均重畳距離より大きい。
【０１４１】
これにより、仮想の延長線（Ｓ１）と同じ方向である導電性フィルム７１の延長方向（例、Ｙ方向）と交差する方向（例、Ｘ方向）に位置する後面電極用集電部１５２の上部端部分と下部端部分の平均重畳面積が導電性フィルム７１の延長方向に位置する後面電極用集電部１５２の左側端部分と右側端部分の平均重畳面積より小さい。
【０１４２】
したがって既に説明したように導電性フィルム７１が延長する所に位置する後面電極１５１と後面電極用集電部１５２の間の段差発生領域が減るか除去されて、導電性フィルム７１と後面電極用集電部１５２の接着力が向上する。
【０１４３】
また、図１乃至図１１の例と比べる時、切られることなしに各後面電極用集電部１５２が形成され後面電極用集電部１５２の形成面積が増加するによって導電性フィルム７１との接着面積が増加し後面電極用集電部１５２で導電性フィルム７１に出力される電荷の量はさらに向上する。
【０１４４】
追加で、基板１１０の後面に形成される後面電極用集電部１５２の形成面積が増加するので、後面電極１５１だけでなく基板１１０の後面を通じて直ぐ後面電極用集電部１５２に伝達する電荷の量が増加するので、基板１１０から後面電極用集電部１５２に伝達する電荷の量はさらに増加し、太陽電池１１の効率が向上する。
【０１４５】
各後面電極用集電部１５２が切られることない一つのストライプ形状に形成される場合にも、図４乃至図９に示した多様な例が適用されることができる。
【０１４６】
このような構造を有する本実施の形態に係る太陽電池１１の動作は次のようである。
【０１４７】
太陽電池１１に光が照射され反射防止部１３０を通じて半導体部であるエミッタ部１２１と基板１１０に入射されれば光エネルギーによって半導体部で電子と正孔が発生する。この時、反射防止部１３０によって基板１１０に入射される光の反射損失が減って基板１１０に入射される光の量が増加する。
【０１４８】
これら電子と正孔は基板１１０とエミッタ部１２１のｐ−ｎ接合によって、例えば、ｎ型の導電性タイプを有するエミッタ部１２１とｐ型の導電性タイプを有する基板１１０の方にそれぞれ移動する。このように、エミッタ部１２１の方に移動した電子は複数の前面電極１４１と複数の前面電極用集電部１４２によって収集されて複数の前面電極用集電部１４２に従って移動し、基板１１０の方に移動した正孔は隣接した後面電極１５１と複数の後面電極用集電部１５２によって収集され複数の後面電極用集電部１５２に従って移動する。このような前面電極用集電部１４２と後面電極用集電部１５２を導電性フィルム７１で連結すれば電流が流れるようになり、これを外部で電力として利用する。
【０１４９】
また、各後面電極用集電部１５２が互いに離隔される島型形状の複数の導電体５２からなる時、後面電極１５１の形成面積と後面電界部１７２の形成面積が増加して、太陽電池１１の効率が向上して製造費用が減るようになる。
【０１５０】
追加で、導電性フィルム７１の進行方向に位置する各導電体５２の端部分とこの端部分に隣接した後面電極１５１との重畳距離（重畳面積）が減少して各導電体５２と隣接した後面電極１５１の間の段差が減少し、導電性フィルム７１と各導電体５２との接着力が増加する。
【０１５１】
次、図１３乃至図１７を参照にし、本発明の参考の他の実施の形態に係る多様な例に対して説明する。
【０１５２】
図１乃至図１２に示した太陽電池１１と比べる時、各後面電極用集電部１５２の形状を除けば皆同一である。したがって同一の機能を遂行する構成要素に対しては図１乃至図１２のような図面符号を付与し、それに対する説明は省略する。
【０１５３】
図１３及び図１５に示したように、同一である基板１１０上に位置した複数の後面電極用集電部（１５２ａ、１５２ｂ）それぞれは互いに同一である形状からなり、互いに離隔されてある複数の導電体（５２ａ、５２ｂ）を備える。
【０１５４】
図１３及び図１５に示したように、各導電体（５２ａ、５２ｂ）は長方形のような多様な形状からなる胴体部２１とこの胴体部から決まれた間隔ごとに突き出されている複数の枝部（２２、２３）を有している。
【０１５５】
この時、複数の枝部（２２、２３）は胴体部２１の左側端と右側端からＸ方向に突き出している複数の第１枝部２２と胴体部２１の上部端と下部端からＹ方向に突き出している複数の第２枝部２３を備える。
【０１５６】
各第１枝部２２の幅（ｗ５１）は各第２枝部２３の幅（ｗ５２）と同一であるか大きいことがあり、各第２枝部２３の長さ（ｄ４２）は各第１枝部２２の長さ（ｄ４１）より短い。
【０１５７】
図１４及び図１６に示したように、後面電極１５１は各導電体（５２ａ、５２ｂ）の胴体部２１を露出する複数の開口部１８１を含んでいるので、後面電極１５１は第１及び第２枝部（２２、２３）の内少なくとも一つと重畳される。
【０１５８】
すなわち、図１３の場合、各胴体部２１の左側端と右側端に複数の第１枝部２２だけ備えるので、図１４に示した各導電体５２ａは複数の第１枝部２２と後面電極１５１が重畳された重畳部分を有している。しかし、各導電体５２ａの上部端部分と下部端部分は重畳されないで上部端端及び下部端端は後面電極１５１と接するだけである。
【０１５９】
図１５の場合、各胴体部２１の左側端と右側端そして上部端と下部端に複数の第１枝部２２と複数の第２枝部２３を備えるので、図１６に示した各導電体５２ｂは複数の第１枝部２２と後面電極１５１が重畳された重畳部分と複数の第２枝部２３と後面電極１５１が重畳された重畳部分を備える。
【０１６０】
これにより、図１６で、各第１枝部２２と後面電極１５１との重畳距離は各第２枝部２３と後面電極１５１との重畳距離より大きく、第１枝部２２と後面電極１５１の間の平均重畳距離は第２枝部２３と後面電極１５１の間の平均重畳距離が大きい。
【０１６１】
したがって、図１４及び図１６で導電性フィルム７１の進行方向であるＹ方向に導電体（５２ａ、５２ｂ）と後面電極１５１の間の平均重畳面積は導電性フィルム７１の進行方向と交差する方向であるＸ方向に導電体（５２ａ、５２ｂ）と後面電極１５１の間の平均重畳面積より小さくなる。
【０１６２】
したがって導電性フィルム７１が延長する所に位置する後面電極１５１と導電体（５２ａ、５２ｂ）の間の段差発生領域が減るか除去されて、導電性フィルム７１と導電体（５２ａ、５２ｂ）の接着力が向上する。
【０１６３】
また、各導電体（５２ａ、５２ｂ）の形成面積が減少し各導電体（５２ａ、５２ｂ）のために消耗する銀（Ａｇ）などを含んだ材料の量が減少し、これにより、後面電極用集電部（１５２ａ、１５２ｂ）の製造費用が減少し、太陽電池の製造費用が減る。
【０１６４】
図１３及び図１５の例で、各導電体（５２ａ、５２ｂ）の胴体部２１の左側端と右側端で第１枝部２２が突き出しているが、胴体部２１の左側端と右側端の内で一つにだけ第１枝部２２が突き出すことができ、図１５で、各導電体（５２ａ、５２ｂ）の胴体部２１の上部端と下部端で第２枝部２３が突き出しているが、胴体部２１の上部端と下部端の内で一つにだけ第２枝部２３が突き出すことができる。この場合、各胴体部２１の左側端と右側端の内で少なくとも一つに位置した各第１枝部２２と後面電極１５１との重畳距離は各胴体部２１の上部端と下部端の少なくとも一つに位置した各第２枝部２３と後面電極１５１との重畳距離より大きくて、第１枝部２２と後面電極１５１の間の平均重畳距離は第２枝部２３と後面電極１５１の間の平均重畳距離が大きい。
【０１６５】
また、図１４及び図１６で、後面電極１５１の開口部１８１の形状は各導電体（５２ａ、５２ｂ）の胴体部２１と一致し、開口部１８１と胴体部２１は同一である模様と大きさを有しているが、これとは異なり、Ｘ方向とＹ方向の内で少なくとも一方向に導電体（５２ａ、５２ｂ）と後面電極１５１の間の整列が行き違って、すなわち、重畳距離が異なって、図５乃至図１０と類似に導電体（５２ａ、５２ｂ）の左側に位置した第１枝部２２と後面電極１５１ の間の平均重畳面積（すなわち、重畳距離）と導電体（５２ａ、５２ｂ）の右側に位置した第１枝部２２と後面電極１５１の間の平均重畳面積（すなわち、重畳距離）が互いに相異することができる。また、導電体〈５２ａ、５２ｂ〉の上部端に位置した第２枝部２３と後面電極１５１の間の平均重畳面積（すなわち、重畳距離）と導電体〈５２ａ、５２ｂ〉の下部端に位置した第２枝部２３と後面電極１５１の間の平均重畳面積（すなわち、重畳距離）が互いに相異することができる。しかし、この場合にも第１枝部２２と後面電極１５１の間の平均重畳距離は第２枝部２３と後面電極１５１の間の平均重畳距離より大きく、Ｙ方向に導電体〈５２ａ、５２ｂ〉と後面電極１５１の間の平均重畳面積は Ｘ方向に導電体〈５２ａ、５２ｂ〉と後面電極１５１の間の平均重畳面積より小さくなる。したがって、導電性フィルム７１が延長する所に位置する後面電極１５１と導電体〈５２ａ、５２ｂ〉の間の段差発生領域が減るか除去されて、導電性フィルム７１と導電体〈５２ａ、５２ｂ〉の接着力が向上する。
【０１６６】
このように、各導電体（５２ａ、５２ｂ）の胴体部２１に複数の第１及び第２枝部（２２、２３）の内少なくとも一つを備えた構造は図１２に示した後面電極用集電部１５２にも適用されることができる。
【０１６７】
すなわち、図１7のように、切られることなしに一方向に長く伸びているストライプ形状を有する各後面電極用集電部１５２ｃは胴体部２１でＸ方向に伸びて出た複数の第１枝部２２とＹ方向に伸びて出た複数の第２枝部２３を備えることができ、代案的な例で、第２枝部２３は省略されることができる。この時、後面電極用集電部１５２ｃが第１及び第２枝部（２２、２３）を備えたことを除けば、図１２に示した後面電極用集電部１５２と同一である。
【０１６８】
既に説明したように、各第１枝部２２の幅（ｗ５１）は各第２枝部２２の幅（ｗ５２）と同一であるか大きく、各第１枝部２２の長さ（ｄ４１）は各第２枝部２２の長さ（ｄ４２）より長い。
【０１６９】
これにより、第１枝部２２と後面電極１５１の間の平均重畳距離は第２枝部２３と後面電極１５１の間の平均重畳距離より大きくて、導電性フィルム７１の進行方向であるＹ方向に後面電極用集電部１５２と後面電極１５１の間の平均重畳面積は導電性フィルム７１の進行方向と交差するＸ方向に後面電極用集電部１５２と後面電極１５１の間の平均重畳面積より小さくなる。
【０１７０】
図１４、図１６及び図１7によって、導電性フィルム７１が延長する所に位置する各導電体（５２ａ−５２ｃ）の上部端部分と後面電極１５１の間の重畳面積そして下部端部分と後面電極１５１の間の重畳面積が減少する。
【０１７１】
したがって導電性フィルム７１が延長する所に位置する後面電極１５１と後面電極用集電部１５２ｃの間の段差発生領域が減るか除去され、導電性フィルム７１と後面電極用集電部１５２ｃの接着力が向上し、後面電極用集電部１５２ｃの形成面積が減って後面電極用集電部１５２ｃの製造費用が減少する。
【０１７２】
図１乃至図１７に示した実施の形態で、後面電極用集電部（１５２、１５２ａ−１５２ｃ）全体が基板１１０の後面すぐ上に位置し後面電極１５１の一部が後面電極用集電部（１５２、１５２ａ−１５２ｃ）の一部の上に位置する。これにより、後面電極用集電部（１５２、１５２ａ−１５２ｃ）と後面電極１５１の重畳部分で、後面電極用集電部１５２を構成する導電体（５２、５２ａ、５２ｂ）や後面電極用集電部１５２ｃが基板１１０の後面すぐ上に位置し、この導電体（５２、５２ａ、５２ｂ）や後面電極用集電部１５２ｃの上部面一部の上に後面電極用集電部１５２の一部または各導電体（５２、５２ａ、５２ｂ）の一部を露出する複数の開口部１８１を有する後面電極１５１が位置し後面電極用集電部（１５２、１５２ａ−１５２ｃ）と後面電極１５１が重畳する。
【０１７３】
しかし、これとは反対に、図２０のように、後面電極１５１全体が基板１１０の後ならすぐ上に位置し後面電極用集電部（１５２、１５２ａ−１５２ｃ）の一部が後面電極１５１の一部の上に位置することができる。この時、開口部１８１内に位置する後面電極用集電部（１５２、１５２ａ−１５２ｃ）は基板１１０の後ならすぐ上に位置する。これにより、後面電極用集電部（１５２、１５２ａ−１５２ｃ）と後面電極１５１の重畳部分で、基板１１０の一部を露出する複数の開口部１８１を備えた後面電極１５１が基板１１０すぐ上に位置し、複数の開口部１８１内にそして隣接した後面電極１５１の上部面一部の上に導電体（５２，５２ａ、５２ｂ）や後面電極用集電部１５２ｃが位置する。この場合、導電体（５２、５２ａ、５２ｂ）や後面電極用集電部１５２ｃより広い形成面積を有する後面電極１５１上に導電体（５２、５２ａ、５２ｂ）や後面電極用集電部１５２ｃが形成されるので設計の余裕度がもうちょっと増加する。これにより、太陽電池１１の不良率が減る。
【０１７４】
上に記載したように、太陽電池１１が多様な後面電極部１５０の構造を有する時、リボンのような導電性フィルム７１を利用し複数の太陽電池１１を直列連結した太陽電池モジュールに対して図１８を参照にして説明する。
【０１７５】
図１８を参照にすれば、太陽電池モジュール１００は複数の太陽電池１１、隣接した太陽電池１１を電気的に接続する導電性フィルム７１、太陽電池１１を保護する前面保護膜３０ａ及び後面保護膜３０ｂ、太陽電池１１の受光面の方に前面保護膜３０ａ上に配置される透明部材４０、受光面反対の方に後面保護膜３０ｂの下部に配置される後面シート（ｂａｃｋ ｓｈｅｅｔ）５０を含む。
【０１７６】
後面シート５０は太陽電池１１の後面で湿気が侵透することを防止し太陽電池１１を外部環境から保護する。このような後面シート５０は水気と酸素浸透を防止する層、化学的腐食を防止する層、絶縁特性を有する層のような多層構造を有することができる。
【０１７７】
両面受光型太陽電池の場合には後面シート５０代りに光透過性のガラス基板または樹脂基板を使うことも可能である。
【０１７８】
前面保護膜３０ａ及び後面保護膜３０ｂは太陽電池１１の前面及び後面にそれぞれ配置された状態でラミネーション工程によって太陽電池１１と一体化になることで、湿気浸透による腐食を防止し太陽電池１１を衝撃から保護する。このような前面及び後面保護膜（３０ａ、３０ｂ）はエチレン・ビニール・アセテート（ＥＶＡ、ethylene vinyl acetate）のような物質から成り得る。
【０１７９】
前面保護膜３０ａ上に位置する透明部材４０は光の透過率が高くて破損防止機能が優秀な強化ガラスなどからなる。この時、強化ガラスは鉄成分含量が低い低鉄分強化ガラス（low iron tempered glass）で有り得る。このような透明部材４０は光の散乱効果を高めるために内側面がエンボシング（embossing）処理されることがある。
【０１８０】
複数の太陽電池１１は図１乃至図１７を参照にして説明した太陽電池であり、示したように行列構造で配列されている。図１８で、後面保護膜３０ｂ上に行と列方向に配置される太陽電池１０の個数は必要によって調整が可能である。
【０１８１】
複数の太陽電池１１は既に説明したように、図１９に示したように導電性フィルム７１によって電気的に接続される。
【０１８２】
図１９に示したように、複数の太陽電池１１を行列構造で配置した後、隣接した二つの太陽電池１１中一つの太陽電池１１の前面に位置した前面電極用集電部１４２は導電性フィルム７１によって他の太陽電池１１の後面に位置した後面電極用集電部１５２と接続される。この時、導電性フィルム７１が導電性を有しているので、導電性フィルム７１によって接続された二つの太陽電池１１は電気的に直列接続される。
【０１８３】
図１９に示した太陽電池１１は図６に示したように、導電性フィルム７１の延長方向に後面電極１５１と後面電極用集電部１５２が重畳されないで互いに接している場合を概略的に示した図である。
【０１８４】
しかし、図３乃至図５、そして図７乃至図１７に示したような後面電極部１５０を有する太陽電池１１もまた図１９に示した太陽電池モジュール１００で形成可能である。
【０１８５】
以上で本発明の望ましい実施の形態に対して詳細に説明したが本発明の権利範囲はここに限定されるものではなく、次の請求範囲で定義している本発明の基本概念を利用した当業者の多くの変形及び改良形態もまた本発明の権利範囲に属する。
【図１】
0005587943.tif 000002
【図２】
0005587943.tif 000003
【図３】
0005587943.tif 000004
【図４】
0005587943.tif 000005
【図５】
0005587943.tif 000006
【図６】
0005587943.tif 000007
【図７】
0005587943.tif 000008
【図８】
0005587943.tif 000009
【図９】
0005587943.tif 000010
【図１０】
0005587943.tif 000011
【図１１】
0005587943.tif 000012
【図１２】
0005587943.tif 000013
【図１３】
0005587943.tif 000014
【図１４】
0005587943.tif 000015
【図１５】
0005587943.tif 000016
【図１６】
0005587943.tif 000017
【図１７】
0005587943.tif 000018
【図１８】
0005587943.tif 000019
【図１９】
0005587943.tif 000020
【図２０】
0005587943.tif 000021